(57)【要約】【課題】発射機から上空に発射し、空中で３次元的に展張させることができ、折り畳み及び展開が容易であり、かつレーダ反射性能が高い折畳み式コーナーリフレクタを提供する。【解決手段】一端１２ａに同心の中空孔を有する中空円筒形のメインロッド１２と、メインロッドの中空孔に同心に収容され前記一端から軸線に沿って外方に伸張可能な棒状のサブロッド１４と、メインロッドの一端に前記中空孔を囲んで固定された中空支持部材１６と、中空支持部材に内端１９ａが取付けられメインロッド側に位置する折畳み位置から放射状に延びる展張位置までサブロッドの伸張方向に揺動可能な複数の骨部材１８と、サブロッドの外端と前記骨部材の外端とを連結する可撓性のメイン紐部材２０と、メインロッド、サブロッド、及び骨部材の間に折畳み状態で取付けられ、展張位置において支持部材１６を中心とする８つのコーナーリフレクタを形成する電波反射膜２２とを備える。【選択図】図５
2011007373.tif 000002
【特許請求の範囲】
【請求項１】
一端に同心の中空孔を有する中空円筒形のメインロッドと、
該メインロッドの中空孔に同心に収容され、前記一端から軸線に沿って外方に伸張可能な棒状のサブロッドと、
前記メインロッドの一端に前記中空孔を囲んで固定された中空支持部材と、
該中空支持部材に内端が取付けられ、メインロッド側に位置する折畳み位置から放射状に延びる展張位置までサブロッドの伸張方向に揺動可能な複数の骨部材と、
前記サブロッドの外端と前記骨部材の外端とを連結する可撓性のメイン紐部材と、
前記メインロッド、サブロッド、及び骨部材の間に折畳み状態で取付けられ、前記展張位置において前記支持部材を中心とする８つのコーナーリフレクタを形成する電波反射膜とを備える、ことを特徴とする折畳み式コーナーリフレクタ。
【請求項２】
前記サブロッドをメインロッドの中空孔からメインロッドの軸線に沿って外方に伸張するアクチュエータを備える、ことを特徴とする請求項１に記載の折畳み式コーナーリフレクタ。
【請求項３】
前記複数の骨部材は、サブロッドの前記伸張によりメインロッドに対し直交する平面内で互に直交する４本のメイン骨部材を有する、ことを特徴とする請求項１に記載の折畳み式コーナーリフレクタ。
【請求項４】
前記複数の骨部材は、さらに前記伸張により、
前記平面内で前記メイン骨部から４５度の位置に放射状に位置する４本の第１サブ骨部材と、
メインロッドとメイン骨部材を含む平面内でメインロッドから４５度の位置に放射状に位置する４本の第２サブ骨部材と、
サブロッドとメイン骨部材を含む平面内でサブロッドから４５度の位置に放射状に位置する４本の第３サブ骨部材とを有する、ことを特徴とする請求項３に記載の折畳み式コーナーリフレクタ。
【請求項５】
前記メインロッドの外端、第２サブ骨部材の外端、メイン骨部材の外端、及び第３サブ骨部材の外端を所定の長さで順次連結する可撓性の第１サブ紐部材を有する、ことを特徴とする請求項４に記載の折畳み式コーナーリフレクタ。
【請求項６】
前記メイン骨部材の外端と第１サブ骨部材の外端を前記所定の長さで連結する可撓性の第２サブ紐部材とを備える、ことを特徴とする請求項４に記載の折畳み式コーナーリフレクタ。
【発明の詳細な説明】
【技術分野】
【０００１】
本発明は、ＲＦデコイに係り、更に詳しくは折畳み式コーナーリフレクタに関する。
【背景技術】
【０００２】
「コーナーリフレクタ」とは、図１に示すように、どのような方向から電波５２が入射しても、その入射方向に電波を反射する電波の反射体である。コーナーリフレクタ５１は、通常２枚ないし３枚の導電板５１ａで構成されており、それらが互いに９０度をなすように組み合わされている。
かかるコーナーリフレクタは、例えば特許文献１に既に開示されている。
【０００３】
特許文献１は、航空機等への搭載に便利で、かつ海上での遭難においても捜索目標として有効に機能するコーナーリフレクタ装置を目的とする。
そのため、この装置は、図２に示すように、水中に投下されると自動的にバルブが開きガスが出るボンベ６１と、このボンベのガスにより球形に膨らむ合成樹脂又はビニール等で作られたボール６２と、このボールの内部に内装され、ボールが膨らんだときに折畳み状態が解放されて板部材６４の相隣合う面が９０°となるように拡大されるコーナーリフレクタ６３とで構成されるものである。
【先行技術文献】
【特許文献】
【０００４】
【特許文献１】特開平０４−３５５３８８号公報、「コーナーリフレクタ装置」
【発明の開示】
【発明が解決しようとする課題】
【０００５】
特許文献１のコーナーリフレクタは、ボンベでボールを膨らませるため、必要なガス量が多く、折畳み状態からの展開に時間がかかる問題があった。そのため、このコーナーリフレクタは、ミサイル等の攻撃をかわす目的で、艦艇等から上空に発射し、空中で瞬時に展張させるデコイ（おとり）としては適用が困難であった。
【０００６】
そこで、艦艇等から上空に発射し、空中で瞬時に展張させるデコイとして、図３に示すような折畳み式コーナーリフレクタが開発されている。
【０００７】
この折畳み式コーナーリフレクタは、互いに直交する軸７１，７２，７３で構成されるフレーム構造に電波反射膜７４を展張し、機能させる状態では図に示すように８個のコーナーリフレクタ７５を構成する。
空中に浮遊するコーナーリフレクタ７５に電波が照射されると、照射された元の方向に反射する。また、このコーナーリフレクタは、互いに隣接した８個で構成されているため、全ての方向にその機能を発揮する。
【０００８】
この折畳み式コーナーリフレクタを限定された筒状の発射機から上空に発射し、空中で３次元的に展張させるため、従来元の形状に復元させる支持構造（軸７１，７２，７３）に電波反射膜７４が張られているが、折り畳みが困難である問題点があった。
また、各頂点を結ぶ電波反射膜７４の形状が三角形、若しくは膜端７４ａが中心に向かって窪むため、コーナーリフレクタとしてのレーダ反射性能が低い問題点があった。
【０００９】
本発明は、上述した問題点を解決するために創案されたものである。すなわち、本発明の目的は、発射機から上空に発射し、空中で３次元的に展張させることができ、折り畳み及び展開が容易であり、かつレーダ反射性能が高い折畳み式コーナーリフレクタを提供することにある。
【課題を解決するための手段】
【００１０】
本発明によれば、一端に同心の中空孔を有する中空円筒形のメインロッドと、
該メインロッドの中空孔に同心に収容され、前記一端から軸線に沿って外方に伸張可能な棒状のサブロッドと、
前記メインロッドの一端に前記中空孔を囲んで固定された中空支持部材と、
該中空支持部材に内端が取付けられ、メインロッド側に位置する折畳み位置から放射状に延びる展張位置までサブロッドの伸張方向に揺動可能な複数の骨部材と、
前記サブロッドの外端と前記骨部材の外端とを連結する可撓性のメイン紐部材と、
前記メインロッド、サブロッド、及び骨部材の間に折畳み状態で取付けられ、前記展張位置において前記中空支持部材を中心とする８つのコーナーリフレクタを形成する電波反射膜とを備える、ことを特徴とする折畳み式コーナーリフレクタが提供される。
【００１１】
本発明の実施形態によれば、前記サブロッドをメインロッドの中空孔からメインロッドの軸線に沿って外方に伸張するアクチュエータを備える。
【００１２】
前記複数の骨部材は、サブロッドの前記伸張によりメインロッドに対し直交する平面内で互に直交する４本のメイン骨部材を有する。
【００１３】
前記複数の骨部材は、さらに前記伸張により、
前記平面内で前記メイン骨部から４５度の位置に放射状に位置する４本の第１サブ骨部材と、
メインロッドとメイン骨部材を含む平面内でメインロッドから４５度の位置に放射状に位置する４本の第２サブ骨部材と、
サブロッドとメイン骨部材を含む平面内でサブロッドから４５度の位置に放射状に位置する４本の第３サブ骨部材とを有する。
【００１４】
また、前記メインロッドの外端、第２サブ骨部材の外端、メイン骨部材の外端、及び第３サブ骨部材の外端を所定の長さで順次連結する可撓性の第１サブ紐部材を有する。
【００１５】
また、前記メイン骨部材の外端と第１サブ骨部材の外端を前記所定の長さで連結する可撓性の第２サブ紐部材とを備える。
【発明の効果】
【００１６】
上記本発明の構成によれば、サブロッドをメインロッドの中空孔に収容した折畳み状態では、複数の骨部材が、メインロッドの周りに折り畳まれ、メイン紐部材と電波反射膜は折り畳まれた骨部材の周りに折り畳むことができるので、全体を展張時の半分の長さに短縮することができ、艦艇等から発射機により上空に容易に発射することができる。
【００１７】
また、サブロッドをメインロッドの一端から軸線に沿って外方に伸張することにより、サブロッドの外端が外方に伸張し、これにメイン紐部材で連結された骨部材がメインロッド側に位置する折畳み位置から放射状に延びる展張位置まで揺動し、それらの間に折畳み状態で取付けられた電波反射膜が展張して、中空支持部材を中心とする８つのコーナーリフレクタを形成するので、折畳み状態で発射機から上空に発射し、サブロッドの伸張のみで、空中で３次元的に短時間に容易に展張させることができる。
【００１８】
さらに、本発明の実施形態によれば、サブロッドの前記伸張により、４本のメイン骨部材、４本の第１サブ骨部材、４本の第２サブ骨部材、及び４本の第３サブ骨部材がそれぞれ所定の展張位置に位置して８つのコーナーリフレクタを形成するので、８つのコーナーリフレクタは、それぞれ各面が円形又は扇形となり、従来の三角形コーナーリフレクタよりも大きなレーダ反射断面積を備えることができ、高いレーダ反射性能が得られる。
【図面の簡単な説明】
【００１９】
【図１】コーナーリフレクタの原理図である。
【図２】特許文献１の装置の模式図である。
【図３】従来の折畳み式コーナーリフレクタの模式図である。
【図４】従来のコーナーリフレクタのレーダ反射断面積の説明図である。
【図５】本発明による折畳み式コーナーリフレクタの展張時の全体構成図である。
【図６】本発明による折畳み式コーナーリフレクタの折畳み時の全体構成図である。
【図７】中空支持部材の部分拡大図である。
【図８】図７（Ａ）の各部の断面図である。
【図９】本発明による折畳み式コーナーリフレクタのレーダ反射断面積の説明図である。
【発明を実施するための形態】
【００２０】
以下、本発明の好ましい実施形態を図面を参照して説明する。なお各図において、共通する部分には同一の符号を付し、重複した説明は省略する。
【００２１】
ミサイルのレーダシーカは、基本的に電波反射の大きい目標を追尾する。そのため、艦艇は、ミサイルレーダシーカに対する欺瞞手段として、チャフやコーナーリフレクタを用いたデコイを装備している。
【００２２】
ミサイルレーダシーカの追尾をデコイに向けさせるためには、デコイからの電波反射が艦艇のそれよりも大きいことが必要である。そのため、ミサイルレーダシーカに対する欺瞞の成否には、艦艇やデコイ等のレーダ目標が、どの程度レーダ波を反射するかという点が大きなポイントになる。それを示すものとして、ＲＣＳ（Ｒａｄａｒ  Ｃｒｏｓｓ  Ｓｅｃｔｉｏｎ：レーダ反射断面積）という指標がある。
【００２３】
図４は、基本的なコーナーリフレクタのレーダ反射断面積の説明図である。この図において、（Ａ）は３面が三角形で構成される三面コーナーリフレクタ、（Ｂ）は３面が扇形で構成される三面コーナーリフレクタの模式図である。
【００２４】
コーナーリフレクタのＲＣＳは、その形状によって変化する。例えば、三角形三面コーナーリフレクタ（図４（Ａ））のＲＣＳ最大値σＴは、式（１）で、扇形三面コーナーリフレクタのＲＣＳ最大値σＳは、式（２）で表される。
【００２５】
σＴ＝４πＬ４／３λ２［ｍ２］        ・・・（１）
σＳ＝１５．６πＬ４／３λ２［ｍ２］  ・・・（２）
【００２６】
ここで、Ｌは直角を構成する一辺の長さであり、λはレーダ波の波長である。
つまり、レーダ波の波長（周波数）が同じで、コーナーリフレクタの一辺の長さが等しい場合、扇形タイプは三角形タイプの３．９倍のＲＣＳを持つことになる。
【００２７】
図５は、本発明による折畳み式コーナーリフレクタの展張時の全体構成図であり、図６は、折畳み時の全体構成図である。なおこれらの図において、説明の都合上、左右方向をＸ軸、上下方向をＹ軸、紙面に直交する方向をＺ軸とし、互いに直交するＸ，Ｙ，Ｚ軸の交点を原点Ｏとする。
【００２８】
図５及び図６に示すように、本発明の折畳み式コーナーリフレクタ１０は、メインロッド１２、サブロッド１４、中空支持部材１６、骨部材１８、メイン紐部材２０及び電波反射膜２２を備える。
【００２９】
メインロッド１２は、単一の中空円筒形であり、この例では、原点ＯからＹ軸上の点Ｃまで直線状に延び、同心の中空孔（図示せず）を一端（内端、原点側）に有する。
サブロッド１４は、単一の棒状であり、折畳み時（図６）にメインロッド１２の中空孔に同心に収容され、展張時（図５）にメインロッド１２の一端１２ａ（内端）から軸線に沿って外方に伸張可能に構成されている。展張時の原点Ｏからのサブロッド１４の外端位置（半径）は、メインロッド１２の原点Ｏからの外端位置（半径）とほぼ等しくなっている。
【００３０】
本発明の折畳み式コーナーリフレクタ１０は、更にサブロッド１４をメインロッド１２の中空孔からメインロッド１２の軸線に沿って外方に伸張するアクチュエータ（図示せず）を備える。このアクチュエータには、例えばガス圧によるリニアシリンダや、バネによるリニアアクチュエータを用いる。
この構成により、短時間かつ容易に、サブロッド１４をメインロッド１２の中空孔からメインロッド１２の軸線に沿って外方に伸張することができる。
【００３１】
中空支持部材１６は、メインロッド１２の一端に前記中空孔を囲んで固定されている。中空支持部材１６の構造は、後述する。
【００３２】
骨部材１８は、中空支持部材１６に内端１９ａが取付けられ、メインロッド側に位置する折畳み位置（図６）から放射状に延びる展張位置（図５）までサブロッド１４の伸張方向（図で上向き）に揺動可能に構成されている。
折畳み位置は、メインロッド１２と平行であるのが好ましいが、メインロッド側に位置する限りでこれに限定されない。
【００３３】
この例で、骨部材１８は、４本のメイン骨部材１８ａ、４本の第１サブ骨部材１８ｂ、４本の第２サブ骨部材１８ｃ、及び４本の第３サブ骨部材１８ｄとからなる。展張位置（図５）における各骨部材１８の原点Ｏからの外端位置（半径）は、メインロッド１２及びサブロッド１４とほぼ等しくなっている。
【００３４】
４本のメイン骨部材１８ａは、サブロッド１４の伸張によりメインロッド１２に対し直交する平面内で互に直交する。この例で、４本のメイン骨部材１８ａは、Ｘ軸方向とＺ軸方向に２本ずつ位置する。
【００３５】
４本の第１サブ骨部材１８ｂは、サブロッド１４の伸張により  メインロッド１２に対し直交する平面内でメイン骨部材１８ａから４５度の位置に放射状に位置する。この例で、４本の第１サブ骨部材１８ｂは、Ｘ軸及びＺ軸に対し同一平面内で４５度の方向に位置する。
【００３６】
４本の第２サブ骨部材１８ｃは、サブロッド１４の伸張により、メインロッド１２とメイン骨部材１８ａを含む平面内でメインロッド１２から４５度の位置に放射状に位置する。
４本の第３サブ骨部材１８ｄは、サブロッド１４の伸張により、サブロッド１４とメイン骨部材１８ａを含む平面内でサブロッド１４から４５度の位置に放射状に位置する。
すなわちこの例で４本の第２サブ骨部材１８ｃ及び４本の第３サブ骨部材１８ｄは、Ｘ軸とＹ軸で構成される２つの平面内にそれぞれ位置する。
【００３７】
メイン紐部材２０は、可撓性の紐又はワイヤであり、サブロッド１４の外端と骨部材の外端とを連結する。さらにこの例では、メインロッド１２の中空孔近傍と第３サブ骨部材１８ｄの外端（図で点Ａ，Ａ’）とをサブロッド１４の外端１４ｂを介して連結する。
この例において、メインロッド１２の中空孔近傍に固定金具２１ａ、サブロッド１４の外端１４ｂにスライド金具２１ｂがそれぞれ固定され、メイン紐部材２０の一端が固定金具２１ａに固定され、中間部分がスライド金具２１ｂでスライド可能に支持され、他端が第３サブ骨部材１８ｄの外端（図で点Ａ，Ａ’）に固定されている。
この構成により、サブロッド１４をメインロッド１２の内端１２ａから軸線に沿って外方に伸張することにより、サブロッド１４の外端１４ｂに位置するメイン紐部材２０の中間部が外方に伸張し、これに連結された骨部材（第３サブ骨部材１８ｄ）がメインロッド１２と平行な折畳み位置から放射状に延びる展張位置まで揺動させることができる。
【００３８】
この例において、本発明の折畳み式コーナーリフレクタ１０は、第１サブ紐部材２４ａと第２サブ紐部材２４ｂ（後述する図９参照）とを備える。
【００３９】
第１サブ紐部材２４ａは、可撓性の紐又はワイヤであり、メインロッド１２の外端１２ｂ（図で点Ｃ）、第２サブ骨部材１８ｃの外端１９ｂ（図で点Ｂ，Ｂ’）、メイン骨部材１８ａの外端１９ｂ（図で点Ｘ，Ｘ’）及び第３サブ骨部材の外端１９ｂ（図で点Ａ，Ａ’）を所定の長さで順次連結する。
この例において、メインロッド１２の外端１２ｂ（図で点Ｃ）に固定金具２１ｃが固定され、第１サブ紐部材２４ａの一端が固定金具２１ｃに固定されている。
【００４０】
また第２サブ紐部材２４ｂも、可撓性の紐又はワイヤであり、メイン骨部材１８ａの外端１９ｂ（図で点Ｘ，Ｘ’）と第１サブ骨部材１８ｂの外端を所定の長さで連結する。
【００４１】
この構成により、サブロッド１４をメインロッド１２の一端（内端）１２ａから軸線に沿って外方に伸張し、骨部材（第３サブ骨部材１８ｄ）がメインロッド１２側に位置する折畳み位置から放射状に延びる展張位置まで揺動することにより、第１サブ紐部材２４ａと第２サブ紐部材２４ｂで連結された第１サブ骨部材１８ｂと第２サブ骨部材１８ｃを所定の展張位置まで揺動させることができる。
【００４２】
電波反射膜２２は、メインロッド１２、サブロッド１４、及び骨部材１８の間に折畳み状態で取付けられ、前記展張位置において中空支持部材１６を中心とする８つのコーナーリフレクタを形成するようになっている。
【００４３】
なお、第１サブ紐部材２４ａと第２サブ紐部材２４ｂは必須ではなく、電波反射膜２２の前記展張位置を保持し、電波反射膜を保護する役目を有する。
従って、電波反射膜２２の伸びが無視できる場合には、第１サブ紐部材２４ａと第２サブ紐部材２４ｂを省略し、電波反射膜２２自体で第１サブ骨部材１８ｂと第２サブ骨部材１８ｃを所定の展張位置（図５）まで揺動させてもよい。
【００４４】
図７は、中空支持部材の部分拡大図である。この図において、（Ａ）は展張時、（Ｂ）は折畳み時である。また、図８は図７（Ａ）の各部の断面図であり、（Ａ）はＡ−Ａ断面、（Ｂ）はＢ−Ｂ断面、（Ｃ）はＣ−Ｃ断面を示している。
【００４５】
図７及び図８に示すように、本発明において、中空支持部材１６は、Ｙ軸と同心に直列に連結された主支持部１６ａ、小径部１６ｂ及び大径部１６ｃからなる。
【００４６】
主支持部１６ａは、原点Ｏを内部に有する中空円筒形部材であり、その周方向溝に嵌められた支持リング１７ａを有する。また上述した４本のメイン骨部材１８ａと４本の第１サブ骨部材１８ｂは、その内端に固定された揺動金具１９ｃをそれぞれ有する。
揺動金具１９ｃは、支持リング１７ａとゆるく嵌る水平貫通孔を有し、この孔に支持リング１７ａが嵌合することにより、支持リング１７ａを中心に、メイン骨部材１８ａと第１サブ骨部材１８ｂがメインロッド１２と平行な折畳み位置（図７（Ｂ））から放射状に延びる展張位置（図７（Ａ））までサブロッド１４の伸張方向（図で上向き）に揺動可能に構成されている。
この例で、図８（Ｂ）に示すように、４本のメイン骨部材１８ａは、Ｘ軸方向とＺ軸方向に２本ずつ揺動し、４本の第１サブ骨部材１８ｂは、Ｘ軸及びＺ軸に対し同一平面内で４５度の方向に揺動する。
【００４７】
小径部１６ｂは、主支持部１６ａの図で下方（点Ｃ側）に一体的に設けられた主支持部１６ａより直径の小さい中空円筒形部材であり、その周方向溝に嵌められた支持リング１７ｂを有する。また上述した４本の第２サブ骨部材１８ｃは、その内端に固定された揺動金具１９ｃをそれぞれ有する。
揺動金具１９ｃは、支持リング１７ｂとゆるく嵌る水平貫通孔を有し、この孔に支持リング１７ｂが嵌合することにより、支持リング１７ｂを中心に、４本の第２サブ骨部材１８ｃがメインロッド１２と平行な折畳み位置（図７（Ｂ））から放射状に延びる展張位置（図７（Ａ））までサブロッド１４の伸張方向（図で上向き）に揺動可能に構成されている。
この例で、図８（Ｃ）に示すように、４本の第２サブ骨部材１８ｃは、サブロッド１４の伸張によりメインロッド１２とメイン骨部材１８ａを含む平面内でメインロッド１２から４５度の位置に放射状に揺動する。
【００４８】
大径部１６ｃは、主支持部１６ａの図で上方（点Ｙ側）に一体的に設けられた主支持部１６ａより直径の大きい中空円筒形部材であり、その周方向溝に嵌められた支持リング１７ｃを有する。また上述した４本の第３サブ骨部材１８ｄは、その内端に固定された揺動金具１９ｃをそれぞれ有する。
揺動金具１９ｃは、支持リング１７ｃとゆるく嵌る水平貫通孔を有し、この孔に支持リング１７ｃが嵌合することにより、支持リング１７ｃを中心に、４本の第３サブ骨部材１８ｄがメインロッド１２と平行な折畳み位置（図７（Ｂ））から放射状に延びる展張位置（図７（Ａ））までサブロッド１４の伸張方向（図で上向き）に揺動可能に構成されている。
この例で、図８（Ａ）に示すように、４本の第３サブ骨部材１８ｄは、サブロッド１４の伸張によりサブロッド１４とメイン骨部材１８ａを含む平面内でサブロッド１４から４５度の位置に放射状に揺動する。
【００４９】
なお上述した中空支持部材１６の構成は必須ではなく、メインロッド１２の中空孔を囲む内端１２ａに固定され、骨部材１８の内端１９ａをメインロッド１２側に位置する折畳み位置（図６）から放射状に延びる展張位置（図５）までサブロッド１４の伸張方向（図で上向き）に揺動可能に支持できる限りで、他の構造であってもよい。
【００５０】
図９は、本発明による折畳み式コーナーリフレクタのレーダ反射断面積の説明図である。なおこの図では、本発明の折畳み式コーナーリフレクタを構成する骨格（メインロッド１２、サブロッド１４、骨部材１８）とメイン紐部材２０及び電波反射膜２２を線分で示し、中空支持部材１６は省略している。
【００５１】
図３に示した従来の折畳み式コーナーリフレクタは、各頂点を結ぶ電波反射膜７４の膜端７４ａが中心に向かって窪むため、図４に示した三角形三面コーナーリフレクタよりもレーダ反射面が小さい（レーダ反射性能が低い）。
【００５２】
これに対し、本発明の折畳み式コーナーリフレクタは、図２に示した従来の同種コーナーリフレクタと異なり、折り畳み傘のように折り畳める構造を有するとともに、電波反射膜２２の形状を第２サブ骨部材１８ｃと第３サブ骨部材１８ｄを備えることによって凸８角形に改善している。
すなわち、図９に示す本発明の折畳み式コーナーリフレクタは図４に示した扇形三面コーナーリフレクタに近く、これとほぼ同等のレーダ反射断面積を有する。従って、本発明の折畳み式コーナーリフレクタは収納時も含めて、従来品とほぼ同等の大きさでありながら、従来の折畳み式コーナーリフレクタのほぼ４倍のレーダ反射断面積を有し、優れたレーダ反射性能を有する。
【００５３】
また上述した本発明の構成によれば、サブロッド１４をメインロッド１２の中空孔に収容した折畳み状態では、複数の骨部材１８（メイン骨部材１８ａ、第１サブ骨部材１８ｂ、第２サブ骨部材１８ｃ、及び第３サブ骨部材１８ｄ）が、メインロッド側に折り畳まれ、メイン紐部材２０と電波反射膜２２は折り畳まれた骨部材１８の周りに折り畳むことができるので、全体を展張時の半分の長さに短縮することができ、艦艇等から発射機により上空に容易に発射することができる。
【００５４】
また、サブロッド１４をメインロッド１２の一端から軸線に沿って外方に伸張することにより、サブロッドの外端が外方に伸張し、これにメイン紐部材で連結された骨部材１８がメインロッド側に位置する折畳み位置から放射状に延びる展張位置まで揺動し、それらの間に折畳み状態で取付けられた電波反射２２が展張して、中空支持部材１６を中心とする８つのコーナーリフレクタを形成するので、折畳み状態で発射機から上空に発射し、サブロッドの伸張のみで、空中で３次元的に短時間に容易に展張させることができる。
【００５５】
さらに、本発明の実施形態によれば、サブロッド１４の伸張により、４本のメイン骨部材１８ａ、４本の第１サブ骨部材１８ｂ、４本の第２サブ骨部材１８ｃ、及び４本の第３サブ骨部材１８ｄがそれぞれ所定の展張位置に位置して８つのコーナーリフレクタを形成するので、８つのコーナーリフレクタは、それぞれ各面が円形又は扇形となり、従来の三角形コーナーリフレクタよりも大きなレーダ反射断面積を備えることができ、高いレーダ反射性能が得られる。
【００５６】
なお、本発明は上述した実施の形態に限定されず、本発明の要旨を逸脱しない範囲で種々変更できることは勿論である。
【符号の説明】
【００５７】
１０  折畳み式コーナーリフレクタ、
１２  メインロッド、１２ａ  一端（内端）、１２ｂ  外端
１４  サブロッド、１４ｂ  外端、
１６  中空支持部材、１６ａ  主支持部、
１６ｂ  小径部、１６ｃ  大径部、
１７ａ、１７ｂ、１７ｃ  支持リング、
１８  骨部材、１８ａ  メイン骨部材、
１８ｂ  第１サブ骨部材、１８ｃ  第２サブ骨部材、
１８ｄ  第３サブ骨部材、１９ａ  内端、
１９ｂ  外端、１９ｃ  揺動金具、
２０  メイン紐部材、２１ａ  固定金具、
２１ｂ  スライド金具、２１ｃ  固定金具、
２２  電波反射膜、
２４ａ  第１サブ紐部材、２４ｂ  第２サブ紐部材
【図１】
2011007373.tif 000003
【図２】
2011007373.tif 000004
【図３】
2011007373.tif 000005
【図４】
2011007373.tif 000006
【図５】
2011007373.tif 000007
【図６】
2011007373.tif 000008
【図７】
2011007373.tif 000009
【図８】
2011007373.tif 000010
【図９】
2011007373.tif 000011